(57)【要約】【課題】本発明は、ディスプレイ等の出力部を有する電子機器における、操作性を向上させることを目的とする。【解決手段】そして、この目的を達成するために本発明は、出力部４と、この出力部４に出力信号を伝達する演算処理部５と、この出力部４の一端に回動可能に設けられるとともに、演算処理部５に入力信号を伝達する入力部７とを備え、出力部４の少なくとも一部には傾斜角センサ８を設け、この傾斜角センサ８の出力が所定の値となった場合には、演算処理部５を駆動状態に保ったまま、出力部４を操作可能状態から操作不可能状態へと切り替える信号が演算処理部５から出力部４へと伝達される電子機器としたものである。【選択図】図１
2009140300.tif 000002
【特許請求の範囲】
【請求項１】
出力部と、
この出力部に出力信号を伝達する演算処理部と、
前記出力部の一端に回動可能に設けられるとともに
前記演算処理部に入力信号を伝達する入力部とを備え、
前記出力部の少なくとも一部には傾斜角センサを設け、
この傾斜角センサの出力が所定の値となった場合には
前記演算処理部を駆動状態に保ったまま
前記出力部を操作可能状態から操作不可能状態へと切り替える信号が
前記演算処理部から前記出力部へと伝達される
電子機器。
【請求項２】
出力部と、
この出力部に出力信号を伝達する演算処理部と、
前記出力部の一端に回動可能に設けられるとともに
前記演算処理部に入力信号を伝達する入力部とを備え、
前記出力部の少なくとも一部には第１の傾斜角センサを設け、
前記入力部の少なくとも一部には第２の傾斜角センサを設け、
この第１、第２の傾斜角センサからの出力の差が所定の値となった場合には
前記演算処理部を駆動状態に保ったまま
前記出力部を操作可能状態から操作不可能状態へと切り替える信号が
前記演算処理部から前記出力部へと伝達される
電子機器。
【請求項３】
出力部と、
この出力部に出力信号を伝達する演算処理部と、
前記出力部の一端に回動可能に設けられるとともに
前記演算処理部に入力信号を伝達する入力部とを備え、
前記出力部の少なくとも一部には傾斜角センサを設け、
前記演算処理部には、
前記入力部から前記入力信号が伝達された時点における
前記傾斜角センサからの出力値を基準値として記憶する記憶部と、
前記傾斜角センサからの出力値と前記基準値とを比較する比較部と、
前記出力値と前記基準値との差が所定の値よりも大きくなった場合には
前記演算処理部を駆動状態に保ったまま
前記出力部を操作可能状態から操作不可能状態へと切り替える信号を
前記出力部に伝達する指令部とを設けた
電子機器。
【請求項４】
出力部と、
この出力部に出力信号を伝達する演算処理部と、
前記出力部の一端に回動可能に設けられるとともに
前記演算処理部に入力信号を伝達する入力部とを備え、
前記出力部の少なくとも一部には第１の傾斜角センサを設け、
前記入力部の少なくとも一部には第２の傾斜角センサを設け、
前記演算処理部には、
前記入力部から入力信号が伝達された時点における
前記第１の傾斜角センサからの出力値と
前記第２の傾斜角センサからの出力値との差を基準値として記憶する記憶部と、
前記第１の傾斜角センサからの出力値と
前記第２の傾斜角センサからの出力値との差を前記基準値と比較する比較部と、
前記第１の傾斜角センサからの出力値と前記第２の傾斜角センサからの出力値との差と
前記基準値との差が所定の値よりも大きくなった場合には
前記演算処理部を駆動状態に保ったまま
前記出力部を操作可能状態から操作不可能状態へと切り替える信号を
前記出力部に伝達する指令部とを設けた
電子機器。
【発明の詳細な説明】
【技術分野】
【０００１】
本発明は、ディスプレイ等の出力部を有する電子機器における、傾斜角センサを用いた操作に関するものである。
【背景技術】
【０００２】
従来この種の電子機器は、図９に示すごとく、ディスプレイ等の出力部１と、この出力部１に出力信号を伝達する演算処理部２とを備え、出力部１に連結された入力部３上の所定のスイッチ３Ａを押すことにより、出力部１は省エネモード、演算処理部２は駆動状態となる構成を実現していた。
【０００３】
なお、この出願に関する先行技術文献情報としては、次のものがある。
【非特許文献１】マイクロソフト社、“サポートオンライン”、［online］、最終更新日２００５年１０月１２日、文書番号：880437、“使用中の Windows（登録商標） XP の画面をロックする方法”、［平成１９年１１月２０日検索］、インターネット＜URL:http://support.microsoft.com/kb/880437/ja＞
【発明の開示】
【発明が解決しようとする課題】
【０００４】
このような従来のディスプレイ等の出力部を有する電子機器では、操作性の悪さが問題となっていた。
【０００５】
すなわち、上記従来の構成においては、使用者が、わざわざ入力部３上の所定のスイッチ３Ａを押す（かつ誤操作を防ぐため、複数のスイッチを同時に押す）必要が有り、その結果として、操作性が悪くなっていた。
【０００６】
そこで本発明は、ディスプレイ等の出力部を有する電子機器における、操作性を向上させることを目的とする。
【課題を解決するための手段】
【０００７】
そして、この目的を達成するために本発明は、出力部と、この出力部に出力信号を伝達する演算処理部と、前記出力部の一端に回動可能に設けられるとともに、前記演算処理部に入力信号を伝達する入力部とを備え、前記出力部の少なくとも一部には傾斜角センサを設け、この傾斜角センサの出力が所定の値となった場合には、前記演算処理部を駆動状態に保ったまま、前記出力部を操作可能状態から操作不可能状態へと切り替える信号が前記演算処理部から前記出力部へと伝達される電子機器としたものである。
【発明の効果】
【０００８】
この構成により、単に使用者が、出力部を所定角度傾けることにより、演算処理部を駆動状態に保ったまま、出力部を操作不可能状態とすることができ、その結果として、操作性を向上させることができる。
【発明を実施するための最良の形態】
【０００９】
（実施の形態１）
以下、本発明の実施の形態１における電子機器について図面を参照しながら説明する。
【００１０】
本実施の形態における電子機器は、図１に示すごとく、ディスプレイ等の出力部４と、この出力部４に出力信号を伝達する演算処理部５と、出力部４の一端に回動可能に設けられるとともに演算処理部５に入力信号を伝達する入力部７とを備え、出力部４の少なくとも一部には傾斜角センサ８を設けている。
【００１１】
そして、図２に示すごとく、出力部４を入力部７側へ傾けることにより、傾斜角センサ８からの出力値、即ち角度が例えば３０度未満となった場合には、演算処理部５を駆動状態に保ったまま、出力部４を操作可能状態から操作不可能状態へと切り替える信号が、演算処理部５から出力部４へと伝達される構成としている。
【００１２】
このような構成により、単に使用者が、出力部４を所定角度傾けることにより、演算処理部５を駆動状態に保ったまま、出力部４を操作不可能状態とすることができ、その結果として、操作性を向上させることができる。
【００１３】
これは、この電子機器の使用者が席を離れるため出力部４を操作不可能状態、例えば省エネモードやスクリーンセーバー状態とし、かつ演算処理部５でウイルスバスターを駆動させたいようなときでも、使用者が単に、この出力部４を入力部７側へ傾けることにより、演算処理部５を駆動状態に保ったまま、出力部４を操作可能状態から操作不可能状態とすることができ、その結果として、例えば出力部４を省エネ・セキュリティモードとしたままウイルスバスターを駆動することができ、省エネ・セキュリティ利用率、対応率を向上させることができるのである。
【００１４】
また、急ぎ、少ない動作で、他人に悟られることなく、セキュリティロックを掛けたい場合においても、ノートＰＣ等の電子機器の、出力部４を完全に閉じることまでせずとも、出力部４の傾きを、所定量（使用者が任意に値を設定）変化させることを、一種の入力動作として、出力部４と演算処理部５の両方を、待機（休止）状態にする。表現を変えると、出力部４だけではなく、電子機器本体を、設置状態から動かす行為によっても、同様の傾き情報を入力することができるので、他者による電子機器持ち出し（盗難）による情報漏洩の防止にもなる。この場合は、待機（休止）状態に止めず、電源の強制ダウンへと進めることでも良い。
【００１５】
なお、本実施の形態においては、傾斜角センサ８の出力値が所定の値未満となった場合に、上記信号が演算処理部５から出力部４へと伝達される構成としたが、傾斜角センサ８の出力値が所定の値以上となった場合に上記信号が伝達される構成としても構わない。
【００１６】
（実施の形態２）
以下、本発明の実施の形態２における電子機器について図面を参照しながら説明する。
【００１７】
本実施の形態における電子機器は、図３に示すごとく、ディスプレイ等の出力部４と、この出力部４に出力信号を伝達する演算処理部５と、出力部４の一端に回動可能に設けられるとともに演算処理部５に入力信号を伝達する入力部７とを備え、出力部４の少なくとも一部には傾斜角センサ８を、入力部７の少なくとも一部には傾斜角センサ９を設けている。
【００１８】
そして、図４に示すごとく、出力部４を入力部７側へ傾けることにより、傾斜角センサ８からの出力値と傾斜角センサ９からの出力値との差、即ち出力部４と入力部７とにより構成される角度が例えば３０度未満となった場合には、演算処理部５を駆動状態に保ったまま、出力部４を操作可能状態から操作不可能状態へと切り替える信号が、演算処理部５から出力部４へと伝達される構成としている。
【００１９】
このような構成により、単に使用者が、出力部４を所定角度傾けることにより、演算処理部５を駆動状態に保ったまま、出力部４を操作不可能状態とすることができ、その結果として、操作性を向上させることができる。
【００２０】
また、入力部７にも傾斜角センサ９を持たせることにより、単に出力部４を閉じようとしているのか、あるいは電子機器本体ごと移動しようとしているのかも、判別することができる。
【００２１】
さらに、傾斜角センサ８からの出力値と傾斜角センサ９からの出力値との差を用いて上記信号の伝達必要性の有無を判断する構成としているため、電子機器の水平が保たれない場合においても、使用者の意思に反して、安易に出力部４が操作不可能状態になることを防止できる。
【００２２】
なお、本実施の形態においては、傾斜角センサ８からの出力値と傾斜角センサ９からの出力値との差が所定の値未満となった場合に、上記信号が演算処理部５から出力部４へと伝達される構成としたが、傾斜角センサ８からの出力値と傾斜角センサ９からの出力値との差が所定の値以上となった場合に上記信号が伝達される構成としても構わない。
【００２３】
（実施の形態３）
以下、本発明の実施の形態３における電子機器について図面を参照しながら説明する。
【００２４】
本実施の形態における電子機器は、図５に示すごとく、ディスプレイ等の出力部４と、この出力部４に出力信号を伝達する演算処理部５と、出力部４の一端に回動可能に設けられるとともに演算処理部５に入力信号を伝達する入力部７とを備え、出力部４の少なくとも一部には傾斜角センサ８を設けている。
【００２５】
そして、演算処理部５には、図６に示すごとく、入力部７からの入力信号が伝達された時点における傾斜角センサ８からの出力値を基準値として記憶する記憶部５Ａと、傾斜角センサ８からの出力と前記基準値とを連続的あるいは断続的に比較する比較部５Ｂと、前記出力値と前記基準値との差が所定の値、例えば１０度よりも大きくなった場合には、演算処理部５を駆動状態に保ったまま出力部４を操作可能状態から操作不可能状態へと切り替える信号を出力部４に与える指令部５Ｃとを設ける構成としている。
【００２６】
このような構成により、単に使用者が、出力部４を所定角度傾けることにより、演算処理部を駆動状態に保ったまま、出力部４を操作不可能状態とすることができ、その結果として、操作性を向上させることができる。
【００２７】
また、出力部４の傾き所定量（使用者が任意に値を設定）を、使用開始時点の、使う人の、好み・状況を基準に、簡単に任意設定できるようにしていることから、使う人や使う状況にも簡易に対応し、かつ操作性を向上させることができる。
【００２８】
（実施の形態４）
以下、本発明の実施の形態４における電子機器について図面を参照しながら説明する。
【００２９】
本実施の形態における電子機器は、図７に示すごとく、ディスプレイ等の出力部４と、この出力部４に出力信号を伝達する演算処理部５と、出力部４の一端に回動可能に設けられるとともに演算処理部５に入力信号を伝達する入力部７とを備え、出力部４の少なくとも一部には傾斜角センサ８を、入力部７の少なくとも一部には傾斜角センサ９を設けている。
【００３０】
そして、演算処理部５には、図８に示すごとく、入力部７からの入力信号が伝達された時点における傾斜角センサ８からの出力値と傾斜角センサ９からの出力値との差を基準値として記憶する記憶部５Ａと、傾斜角センサ８からの出力値と傾斜角センサ９の出力値との差と前記基準値とを連続的あるいは断続的に比較する比較部５Ｂと、前記出力値と前記基準値との差が所定の値、例えば１０度よりも大きくなった場合には、演算処理部５を駆動状態に保ったまま出力部４を操作可能状態から操作不可能状態へと切り替える信号を出力部４に与える指令部５Ｃとを設ける構成としている。
【００３１】
このような構成により、単に使用者が、出力部４を所定角度傾けることにより、演算処理部５を駆動状態に保ったまま、出力部４を操作不可能状態とすることができ、その結果として、操作性を向上させることができる。
【００３２】
また、出力部４の傾き所定量（使用者が任意に値を設定）を、使用開始時点の、使う人の、好み・状況を基準に、簡単に任意設定できるようにしていることから、使う人や使う状況にも簡易に対応し、かつ操作性を向上させることができる。
【００３３】
これは、この電子機器の使用者が席を離れるため出力部４を操作不可能状態、例えば省エネモードやスクリーンセーバー状態とし、かつ演算処理部５でウイルスバスターを駆動させたいようなときでも、使用者が入力部７を用いて演算処理部５に対して入力作業を始めた時点と比較して、使用者が出力部４を入力部７側、あるいは入力部７と反対側へ例えば１０度傾けることにより、演算処理部５を駆動状態に保ったまま、出力部４を操作可能状態から操作不可能状態とすることができ、その結果として、例えば出力部４を省エネモードとしたままウイルスバスターを駆動することができ、省エネ・セキュリティ利用率、対応率を向上させることができるのである。
【００３４】
さらに、傾斜角センサ８からの出力値と傾斜角センサ９からの出力値との差を用いて上記信号の伝達必要性の有無を判断する構成としているため、電子機器の水平が保たれないような場合においても、使用者の意思に反して出力部４が操作不可能状態となることを防止することができる。
【００３５】
また、入力部７にも傾斜角センサ９を持たせることにより、単に出力部４を閉じようとしているのか、あるいは電子機器本体ごと移動しようとしているのかも、判別することができる。
【００３６】
なお、本実施の形態においては、傾斜角センサ８からの出力値と傾斜角センサ９からの出力値との差が所定の値未満となった場合に、上記信号が演算処理部５から出力部４へと伝達される構成としたが、傾斜角センサ８からの出力値と傾斜角センサ９からの出力値との差が所定の値以上となった場合に上記信号が伝達される構成としても構わない。
【産業上の利用可能性】
【００３７】
本発明の電子機器は、操作性を向上させることができるという効果を有し、携帯電話、コンピュータ等、出力部を有する各種電子機器において有用である。
【図面の簡単な説明】
【００３８】
【図１】本発明の実施の形態１における電子機器の斜視図
【図２】本発明の実施の形態１における電子機器の斜視図
【図３】本発明の実施の形態２における電子機器の斜視図
【図４】本発明の実施の形態２における電子機器の斜視図
【図５】本発明の実施の形態３における電子機器の斜視図
【図６】本発明の実施の形態３における電子機器のブロック図
【図７】本発明の実施の形態４における電子機器の斜視図
【図８】本発明の実施の形態４における電子機器のブロック図
【図９】従来の電子機器の斜視図
【符号の説明】
【００３９】
４  出力部
５  演算処理部
７  入力部
８  傾斜角センサ
【図１】
2009140300.tif 000003
【図２】
2009140300.tif 000004
【図３】
2009140300.tif 000005
【図４】
2009140300.tif 000006
【図５】
2009140300.tif 000007
【図６】
2009140300.tif 000008
【図７】
2009140300.tif 000009
【図８】
2009140300.tif 000010
【図９】
2009140300.tif 000011